Podtech/llm-jp-corpus-v4-ja_patent huggingface dataset:
【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】  眼内レンズインプラント（１０、８０）において、該インプラント（１０、８０）が、
運搬部材（１１）と、テレスコープ（２２）と、該テレスコープ（２２）を該運搬部材（１１）に固定するように取り付ける少なくとも１つの機械的な固定部（１２、５２、５４、８２、８４）と、を具備しており、
該運搬部材（１１）が、リング（１２）を具備しており、該リング（１２）は、
内径と外径を形成していて前記リング（１２）を通るように形成される開口（１４）を有しており、該リング（１２）は、内径から外径へ伸長する隙間（１６）により一箇所で割れており、該リング（１２）は、人間の眼への挿入のために生体適合性のある材料から製作されており、該材料が十分な弾性を有するので、該リング（１２）は、該リング（１２）に力を適用して該隙間（１６）を拡げることにより最初の形態から弾性的に開けることが可能であり、該リング（１２）は、該力を取り除くことで該最初の形態に実質的に戻り、
該テレスコープ（２２）は、該リング（１２）の該開口（１４）にその周囲が収容される形状の周囲を有する本体（２４）を具備しており、前記力により該リング（１２）を弾性的に開き該リング（１２）が該本体（２４）上を通過し更に該力を取り除いて該リング（１２）により該周囲を固定するように掴ませることにより、該リング（１２）は該テレスコープ本体（２４）に取り付けられる、
インプラント（１０）。
【請求項２】  該リング（１２）が、内径と外径の中間の該リング（１２）の一部分で該隙間（１６）の近くに形成される一対の開口（２０）を有しており、１つの開口（２０）が該隙間（１６）の一方の側にあり、もう一方の開口（２０）が該隙間（１６）の反対の側にある請求項１に記載のインプラント（１０）。
【請求項３】  該周囲に、該本体（２４）に形成される環状の収容部（２８）により区画される請求項２に記載のインプラント（１０）。
【請求項４】  少なくとも１つの環状の尾根部（３０）が、該テレスコープ本体（２４）に形成される請求項２に記載のインプラント（１０）。
【手続補正書】
【提出日】平成18年1月4日(2006.1.4)
【手続補正１】
【補正対象書類名】明細書
【補正対象項目名】特許請求の範囲
【補正方法】変更
【補正の内容】
【特許請求の範囲】
【請求項１】  望遠鏡（１４）と、前記望遠鏡（１４）が眼内レンズ移植片に取り付けられる時に前記望遠鏡（１４）を支持するための部材（１２）とを備えている、眼内レンズ移植片（１０、３０、４０、５０、７０）において、
前記部材（１２）は、前記望遠鏡（１４）なしで正規の眼内レンズとして機能するように構成されていることと、前記望遠鏡（１４）を前記レンズ（１２）に固定的に取り付ける少なくとも一つの機械的留め具（１６、１８）によって特徴付けられている眼内レンズ移植片（１０、３０、４０、５０、７０）。
【請求項２】  前記レンズ（１２）及び前記望遠鏡（１４）の少なくとも一つは、前記少なくとも一つの機械的留め具（１６、１８）と一体に形成されている請求項１に記載の移植片（１０）。
【請求項３】  前記レンズ（１２）には、前記望遠鏡（１４）上に形成された対応の雄型留め具（１８）と係合する雌型留め具（１６）が形成されている請求項１に記載の移植片（１０、３０、４０、５０、７０）。
【請求項４】  前記レンズ（１２）には、前記望遠鏡（１４）上に形成された対応の雌型留め具（１６）と係合する雄型留め具（１８）が形成されている請求項１に記載の移植片（１０、３０、４０、５０、７０）。
【請求項５】  前記望遠鏡（１４）の前記留め具（１８）が前記望遠鏡（１４）の一端部において形成されている請求項１に記載の移植片（１０）。
【請求項６】  前記雄型留め具（１８）は少なくとも一つのスタッド（２０）を備え、前記雌型留め具（１６）は、切欠き部（２６）によって第二ソケット（２８）へ接続されている第一ソケット（２４）によって形成される溝部（２２）であり、前記切欠き部（２６）は、前記ソケット（２４、２８）よりも狭く、前記少なくとも一つのスタッド（２０）は、前記少なくとも一つのスタッド（２０）を前記第一ソケット（２４）内に最初に挿入して前記少なくとも一つのスタッド（２０）を前記切欠き部（２０）を通して前記第二ソケット（２８）内へ強力に通すことによって、前記第二ソケット（２８）内に固定的に挿入される請求項３又は４に記載の移植片（１０、３０）。
【請求項７】  前記留め具（１６、１８、５２、５４）は、互いとねじで係合できる請求項３又は４に記載の移植片（５０）。
【請求項８】  前記雄型留め具（１８）は少なくとも一つの突起部（４２）を具備し、前記雌型留め具（１６）は少なくとも一つのタブ（４４）を具備し、前記レンズ（１２）に関する前記望遠鏡（１４）の回転により、前記少なくとも一つの突起部（４２）を前記少なくとも一つの対応のタブ（４４）と中間嵌めで固定的に係合する請求項３又は４に記載の移植片（４０）。
【請求項９】  前記雄型留め具（１８）はフランジ（７２）を具備し、前記雌型留め具（１６）は少なくとも一つの弾性舌部（７４）を具備し、前記フランジ（７４）は前記少なくとも一つの舌部（７４）と共にスナップ嵌めする請求項３又は４に記載の移植片（７０）。
【請求項１０】  前記少なくとも一つの機械的留め具（６２）が、前記レンズ（１２）及び前記望遠鏡（１４）とは別個に付与されている請求項１に記載の移植片（６０）。
【請求項１１】  前記望遠鏡（１４）は、前記レンズ（１２）の曲率と調和する曲率を有する端面を具備する請求項１に記載の移植片（６０）。
【請求項１２】  前記望遠鏡（１４）は、前側に配置された正のレンズと、後側に配置された負のレンズとを具備する請求項１に記載の移植片（１０）。
【請求項１３】  前記望遠鏡（１４）は、前側に配置された負のレンズと、後側に配置された正のレンズとを具備する請求項１に記載の移植片（１０）。
【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】  水晶体嚢と、後眼房と、前眼房とを有する眼に移植するための眼内レンズ（ＩＯＬ）インプラント（１０）であって、
前記水晶体嚢に取付けられるように構成された第１担持部材（１２）と、
前記第１担持部材（１２）へ取付けられ、且つこれから延びているテレスコープ（１６）とを有し、該テレスコープ（１６）は少なくとも前記水晶体嚢の一部を通って前記前眼房の中へと延びるように構成されていて、
前記テレスコープ（１６）が更に少なくとも一つの第２担持部材（１８）へ取付けられ、前記少なくとも一つの第２担持部材（１８）が前記前眼房の一部へ取付けられるように構成されていることを特徴とするインプラント（１０）。
【請求項２】  前記第１担持部材（１２）が前記テレスコープ（１６）の一方の端部に取付けられ、前記少なくとも一つの第２担持部材（１８）が前記テレスコープ（１６）の反対の端部に取付けられる、請求項１に記載のインプラント（１０）。
【請求項３】  前記第１担持部材（１２）が前記テレスコープ（１６）の一方の端部へ取付けられ、前記少なくとも一つの第２担持部材（１８）が前記テレスコープ（１６）の前記一方の端部と反対の端部との中間で前記テレスコープ（１６）へ取付けられている、請求項１に記載のインプラント（３０）。
【請求項４】  前記第１担持部材（１２）と前記少なくとも一つの第２担持部材（１８）とがそれぞれ、前記眼の一部への取付けのために、それぞれの担持部材から延びる少なくとも１つのハプティックス（２０）を有している請求項１に記載のインプラント（１０）。
【請求項５】  前記第１担持部材（１２）と前記少なくとも一つの第２担持部材（１８）とがそれぞれ、それらに形成された一つの孔（２２、２４）を有し、前記テレスコープ（１６）が前記孔（２２、２４）に固定的に受容される請求項１に記載のインプラント（１０）。
【請求項６】  前記孔（２２、２４）がほぼ円形である請求項５に記載のインプラント（１０）。
【請求項７】  前記各孔（２２、２４）の中心が、対応する担持部材（１２、１８）の中心とほぼ同じである請求項５に記載のインプラント。
【請求項８】  前記テレスコープ（１６）の長手方向軸線（１７）が、前記第１担持部材（１２）と前記第２担持部材（１８）の少なくとも一つの長手方向軸線（１９）からオフセットされている請求項５に記載のインプラント（１０）。
【請求項９】  前記テレスコープ（１６）が、前方に配置された正レンズ（３４）と、後方に配置された負レンズ（３２）とを有している請求項１に記載のインプラント（１０）。
【請求項１０】  前記テレスコープ（１６）が、前方に配置された負レンズ（３２）と、後方に配置された正レンズ（３４）とを有している請求項１に記載のインプラント（１０）。
【請求項１１】  前記テレスコープ（１６）が屈折率分布型レンズを有している請求項１に記載のインプラント（１０）。
【請求項１２】  前記テレスコープ（１６）が少なくとも一つのホログラフィーレンズを有している請求項１に記載のインプラント（１０）。
【請求項１３】  前記テレスコープ（１６）が少なくとも一つの複レンズ（３６、３８）を有している請求項１に記載のインプラント（１０）。
【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】 （ｉ）一の種に由来する抗体又は生物学的に活性なその断片と、（ｉｉ）二官能分子との間に形成される複合体であって、 当該二官能分子が、前記の一の種の抗体、又はその上に提供される一以上のグループに結合する抗体起源でない結合領域と、他の種の抗体に由来する定常領域とを具備し、当該定常領域が、少なくとも一のＣＨドメイン又はそのエピトープを具備することを特徴とする複合体。
【請求項２】 前記の結合領域が、１０−６Ｍ未満である前記の一の種の抗体、又はその上に提供されるグループに対する結合定数を有することを特徴とする請求項１に記載の複合体。
【請求項３】 前記の結合領域が、１０−８Ｍ未満である前記の一の種の抗体、又はその上に提供されるグループに対する結合定数を有することを特徴とする請求項１に記載の複合体。
【請求項４】 前記の二官能分子が、前記の一の種に由来する抗体に直接的に結合することを特徴とする請求項１乃至３の何れか一項に記載の複合体。
【請求項５】 前記の結合領域が、ストレプトコッカスのプロテインＧ、スタフィロコッカス・オーレウスのプロテインＡ、及びペプトストレプトコッカス・マグナスのプロテインＬからなる群より選択される蛋白質に由来することを特徴とする請求項４に記載の複合体。
【請求項６】 前記の結合領域が、スタフィロコッカス・オーレウスのプロテインＡの断片Ｂを具備することを特徴とする請求項５に記載の複合体。
【請求項７】 前記の結合領域が、マウスのＦｃγ受容体又はその断片を具備することを特徴とする請求項４に記載の複合体。
【請求項８】 前記の結合領域が、ヒスチジン豊富な糖蛋白質を具備することを特徴とする請求項４に記載の複合体。
【請求項９】 前記の結合領域が、前記の一の種の抗体上の一以上のグループに結合することを特徴とする請求項１乃至３に記載の複合体。
【請求項１０】 前記のグループが、ビオチン分子であり、前記の結合領域が、ストレプトアビジン又はその断片を具備することを特徴とする請求項９に記載の複合体。
【請求項１１】 前記の定常領域が、ＩｇＭ抗体に由来する一以上の定常ドメインを具備することを特徴とする請求項１乃至１０の何れか一項に記載の複合体。
【請求項１２】 前記の定常領域が、一以上のＣＨ３μドメインを具備することを特徴とする請求項１１に記載の複合体。
【請求項１３】 前記の定常領域が、ＩｇＧ抗体に由来する一以上の定常ドメインを具備することを特徴とする請求項１乃至１０の何れか一項に記載の複合体。
【請求項１４】 前記の定常領域が、一以上のＣＨ３γドメインを具備することを特徴とする請求項１３に記載の複合体。
【請求項１５】 前記の定常領域が、ＩｇＡ抗体に由来する一以上の定常ドメインを具備することを特徴とする請求項１乃至１０の何れか一項に記載の複合体。
【請求項１６】 前記の抗体の定常領域が、免疫グロブリンのＣＨドメイン又はそのエピトープの非天然の組み合わせを具備するか、又はそれよりなることを特徴とする請求項１乃至１５の何れか一項に記載の複合体。
【請求項１７】 前記の抗体の定常領域が、単一のＣＨドメインを具備するか、又はそれからなることを特徴とする請求項１乃至１５の何れか一項に記載の複合体。
【請求項１８】 前記の一の種が、ラット又はマウスであることを特徴とする請求項１乃至１７の何れか一項に記載の複合体。
【請求項１９】 前記の他の種が、ヒトであることを特徴とする請求項１乃至１８の何れか一項に記載の複合体。
【請求項２０】 生物学的試料で得られた検出レベルを、陽性対照で得られた検出レベルと比較することを含む、生物学的試料中の抗体を検出する方法であって、当該陽性対照が、請求項１５乃至１９の何れか一項に記載の複合体を具備することを特徴とする方法。
【請求項２１】 前記の生物学的試料が、ヒトの生物学的試料であることを特徴とする請求項２０に記載の方法。
【請求項２２】 前記の検出される抗体が、デング熱、日本脳炎、風疹、斑点熱、ヘルペス感染、パルボウイルス感染、メリオイドーシス、腸チフス、レプトスピラ症、マラリア、黄熱病、百日咳、全身性カンジダ症／鵞口瘡、水痘、帯状疱疹、ＡＩＤＳ、肝炎、肝臓癌、子宮頸癌、伝染性単球増加症、上咽頭癌、ロスリバー熱、ブルセラ、突発性発疹（第六病／小児バラ疹）、伝染性紅斑（第五病）、Ｑ熱、単純疱疹、性器ヘルペス、斑点熱、及びツツガムシ病より選択される疾患の特徴的抗体であることを特徴とする請求項２０又は２１に記載の方法。
【請求項２３】 前記の抗体が、ＩｇＭ抗体であることを特徴とする請求項２０乃至２２の何れか一項に記載の方法。
【請求項２４】 前記の抗体が、ＩｇＧ抗体であることを特徴とする請求項２０乃至２２の何れか一項に記載の方法。
【請求項２５】 前記の抗体が、ＩｇＡ抗体であることを特徴とする請求項２０乃至２２の何れか一項に記載の方法。
【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】    ＳＥＱ  ＩＤ  ＮＯ：１、ＳＥＱ  ＩＤ  ＮＯ：２、ＳＥＱ  ＩＤ  ＮＯ：３、ＳＥＱ  ＩＤ  ＮＯ：４、ＳＥＱ  ＩＤ  ＮＯ：５、ＳＥＱ  ＩＤ  ＮＯ：６、ＳＥＱ  ＩＤ  ＮＯ：７、ＳＥＱ  ＩＤ  ＮＯ：８、ＳＥＱ  ＩＤ  ＮＯ：９、ＳＥＱ  ＩＤ  ＮＯ：１０、ＳＥＱ  ＩＤ  ＮＯ：１１及びＳＥＱ  ＩＤ  ＮＯ：１２並びにそのフラグメントからなる群から選択されたアミノ酸配列を含む実質的に精製されたヒトプロテアーゼ分子（ＨＵＰＭ）。
【請求項２】    請求項１のアミノ酸配列と９０％以上のアミノ酸配列の相同性を有する配列を有する、ＨＵＰＭの実質的に精製された変異体。
【請求項３】    請求項１のＨＵＰＭをコードする配列を有する単離され精製されたポリヌクレオチド。
【請求項４】    請求項３のポリヌクレオチド配列と９０％以上の相同性を有する配列を有する単離され精製されたポリヌクレオチド。
【請求項５】    請求項３のポリヌクレオチドを含む組成物。
【請求項６】    請求項３のポリヌクレオチドとストリンジェントな条件下にハイブリダイズする配列を有する単離され精製されたポリヌクレオチド。
【請求項７】    請求項３のポリヌクレオチド配列に相補的な配列を有する単離され精製されたポリヌクレオチド。
【請求項８】    ＳＥＱ  ＩＤ  ＮＯ：１３、ＳＥＱ  ＩＤ  ＮＯ：１４、ＳＥＱ  ＩＤ  ＮＯ：１５、ＳＥＱ  ＩＤ  ＮＯ：１６、ＳＥＱ  ＩＤ  ＮＯ：１７、ＳＥＱ  ＩＤ  ＮＯ：１８、ＳＥＱ  ＩＤ  ＮＯ：１９、ＳＥＱ  ＩＤ  ＮＯ：２０、ＳＥＱ  ＩＤ  ＮＯ：２１、ＳＥＱ  ＩＤ  ＮＯ：２２、ＳＥＱ  ＩＤ  ＮＯ：２３及びＳＥＱ  ＩＤ  ＮＯ：２４並びにこれらのフラグメントからなる群から選択された配列を有する単離され精製されたポリヌクレオチド。
【請求項９】    請求項８のポリヌクレオチド配列と９０％以上の相同性を有する配列を有する単離され精製されたポリヌクレオチド。
【請求項１０】    請求項８のポリヌクレオチド配列に相補的な配列を有する単離され精製されたポリヌクレオチド。
【請求項１１】    請求項３のポリヌクレオチドの少なくともフラグメントを含む発現ベクタ。
【請求項１２】    請求項１１の発現ベクタを含む宿主細胞。
【請求項１３】    ＳＥＱ  ＩＤ  ＮＯ：１、ＳＥＱ  ＩＤ  ＮＯ：２、ＳＥＱ  ＩＤ  ＮＯ：３、ＳＥＱ  ＩＤ  ＮＯ：４、ＳＥＱ  ＩＤ  ＮＯ：５、ＳＥＱ  ＩＤ  ＮＯ：６、ＳＥＱ  ＩＤ  ＮＯ：７、ＳＥＱ  ＩＤ  ＮＯ：８、ＳＥＱ  ＩＤ  ＮＯ：９、ＳＥＱ  ＩＤ  ＮＯ：１０、ＳＥＱ  ＩＤ  ＮＯ：１１及びＳＥＱ  ＩＤ  ＮＯ：１２並びにそれらのフラグメントからなる群から選択されたアミノ酸配列を含むポリペプチドを生成するための方法であって、
ａ）前記ポリペプチドの発現に適した条件下で請求項１２の宿主細胞を培養する過程と、
ｂ）前記宿主細胞培養株から前記ポリペプチドを回収する過程とを有することを特徴とする方法。
【請求項１４】    適当な医薬品担体とともに請求項１のＨＵＰＭを含む医薬品組成物。
【請求項１５】    請求項１のＨＵＰＭに特異的に結合する精製された抗体。
【請求項１６】    請求項１のＨＵＰＭの精製されたアゴニスト。
【請求項１７】    請求項１のＨＵＰＭの精製されたアンタゴニスト。
【請求項１８】    細胞増殖性障害を治療或いは予防するための医薬を製造するための請求項１４の医薬品組成物の使用。
【請求項１９】    免疫障害を治療或いは予防するための医薬を製造するための請求項１４の医薬品組成物の使用。
【請求項２０】    細胞増殖性障害を治療或いは予防するための医薬を製造するための請求項１７の精製されたアンタゴニストの使用。
【請求項２１】    免疫障害を治療或いは予防するための医薬を製造するための請求項１７の精製されたアンタゴニストの使用。
【請求項２２】    核酸材料を含む生物学的サンプルにおいてＨＵＰＭをコードするポリヌクレオチドを検出するための方法であって、
（ａ）前記生物学的サンプルの前記核酸材料の少なくとも１つに請求項７のポリヌクレオチドをハイブリダイズさせ、それによりハイブリダイゼーション複合体を形成する過程と、
（ｂ）前記ハイブリダイゼーション複合体を検出する過程とを有し、前記ハイブリダイゼーション複合体の存在が前記生物学的サンプルにおいてＨＵＰＭをコードするポリヌクレオチドの存在と相互関係を有することを特徴とする方法。
【請求項２３】    前記生物学的サンプルの前記核酸材料が、ハイブリダイゼーションの前にポリメラーゼ連鎖反応により増幅されることを特徴とする請求項２２に記載の方法。
【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  壁面によって画定された空間を形成する乳頭カップライナ（１１）を備えた少なくとも一つの乳頭カップ（３）を有する少なくとも一台の搾乳機（５）によって動物の搾乳を行う方法において、
該方法は、前記壁面が乳頭の周りを延びて乳頭に接触するように前記乳頭カップ（３）を乳頭に装着するステップを有しており、
前記壁面の任意の部分が、或る動物に対する第１の搾乳時と、該動物に対する第２の搾乳時とのそれぞれにおいて、乳頭の異なる部分に有意の頻度で接触するように、前記乳頭カップ（３）の装着が制御されることを特徴とする、動物の搾乳を行う方法。
【請求項２】  前記第１および第２の搾乳時は、連続する２回の搾乳時を構成している、請求項１記載の方法。
【請求項３】  前記制御は、第１の搾乳時と第２の搾乳時との間に前記乳頭カップ（３）を回転させることによってなされる、請求項１または２記載の方法。
【請求項４】  前記乳頭カップ（３）は、該乳頭カップを通って延びている縦方向の中心軸（ｘ）を中心として回転させられる、請求項３記載の方法。
【請求項５】  前記制御は、前記第１の搾乳時に前記乳頭カップ（３）を或る乳頭に装着し、前記第２の搾乳時に他の乳頭に装着することによってなされる、請求項１から３のいずれか１項記載の方法。
【請求項６】  前記乳頭カップ（３）は、前記乳頭カップ（３）の外部を延びており、かつ前記乳頭カップを通る縦方向の中心軸（ｘ）に平行な回転軸（ｘ’）を中心として回転させられる、請求項３または５記載の方法。
【請求項７】  前記方法は、前記第１の搾乳時には第１の搾乳機によって前記動物の搾乳を行い、前記第２の搾乳時には第２の搾乳機によって前記動物の搾乳を行うことを含んでいる、請求項１または２記載の方法。
【請求項８】  前記乳頭カップ（３）の装着は、動物の乳頭に乳頭カップ（３）を自動的に装着する装置（６）の掴み部（８）によって行われる、請求項１から７のいずれか１項記載の方法。
【請求項９】  前記搾乳機（５）は複数の乳頭カップ（３）からなる組（１６，１７）を有しており、かつ、前記制御は、この組の複数の乳頭カップ（３）を、前記第１の搾乳時には第１の順番で、かつ前記第２の搾乳時には第２の順番で、動物の複数の乳頭に装着することによって行われる、請求項１から８のいずれか１項記載の方法。
【請求項１０】  前記第１の順番および第２の順番は、前記２つの搾乳時の間に、複数の前記乳頭カップを保管できるように構成されている乳頭カップ箱（２）から複数の記乳頭カップ（３）が前記掴み部（８）によって取り出される順序を指している、請求項８または９記載の方法。
【請求項１１】  前記制御は、搾乳時ごとに各々の動物を識別することと、次の第２の搾乳時に前記壁面の前記部分が接触することになる乳頭の部分を決定するために、前記第１の搾乳時に前記壁面の前記部分が接触する乳頭の部分を記録することとによって行われる、請求項１から１０のいずれか１項記載の方法。
【請求項１２】  前記制御は、各搾乳時に前記壁面の前記部分が接触することになる乳頭の部分を決定する乱数発生器によって行われる、請求項１から１１のいずれか１項記載の方法。
【請求項１３】  壁面によって画定された空間を形成する乳頭カップライナ（１１）を備え、前記壁面が乳頭の周りを延びて乳頭に接触するように乳頭に装着されるように構成されている少なくとも一つの乳頭カップ（３）を有する少なくとも一台の搾乳機（５）によって動物の搾乳を行う装置において、
壁面の任意の部分が、或る動物に対する第１の搾乳時と、該動物に対する第２の搾乳時とのそれぞれにおいて、乳頭の異なる部分に有意の頻度で接触するように、手段（１０）が前記乳頭カップ（３）の装着を制御するように構成されている、動物の搾乳を行う装置。
【請求項１４】  前記手段（１０；１３，１５；１７）は、異なる搾乳時の間に前記乳頭カップ（３）を回転させることができるように構成されている、請求項１３記載の装置。
【請求項１５】  前記回転は、前記乳頭カップ（３）を通って延びている縦方向の中心軸（ｘ）を中心とした回転を含む、請求項１４記載の装置。
【請求項１６】  前記回転は、前記乳頭カップ（３）の外部を延びており、かつ前記乳頭カップを通る縦方向の中心軸（ｘ）に平行な回転軸（ｘ’）を中心とした回転を含む、請求項１４または１５記載の装置。
【請求項１７】  前記装置は少なくとも２つの搾乳機を有しており、前記手段は、動物を、前記第１の搾乳時には第１の搾乳機に導き、前記第２の搾乳時には第２の搾乳機に導くように構成されている、請求項１３記載の装置。
【請求項１８】  掴み部（８）によって動物の乳頭に乳頭カップ（３）を自動的に装着する装置（６）を有する、請求項１３から１７のいずれか１項記載の装置。
【請求項１９】  前記搾乳機（５）は複数の乳頭カップ（３）からなる組（１６，１７）を有しており、前記乳頭カップの自動装着用の装置（６）は、この組の複数の乳頭カップ（３）を、前記第１の搾乳時には第１の順番で、かつ前記第２の搾乳時には第２の順番で、動物の複数の乳頭に装着するように構成されている、請求項１８記載の装置。
【請求項２０】  前記第１の順番および第２の順番は、前記２つの搾乳時の間に、複数の前記乳頭カップ（３）を保管できるように構成されている乳頭カップ箱（２）から複数の前記乳頭カップ（３）を前記掴み部（８）によって取り出す順序を指している、請求項１９記載の装置。
【請求項２１】  識別装置（９）が、搾乳時ごとに当該動物を識別するように構成されており、記録装置（１０）が、搾乳時ごとに前記壁面の前記部分が接触する乳頭の部分を記録するように構成されており、処理装置（１０）が、搾乳時ごとに前記壁面の前記部分が接触することになる乳頭の部分を前記記録によって決定するように構成されている、請求項１３から２０のいずれか１項記載の装置。
【請求項２２】  乱数発生器が、各搾乳時に前記壁面の前記部分が接触することになる乳頭の部分を決定するように構成されている、請求項１３から２１のいずれか１項記載の装置。
【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  動物の飼料を調製する方法であって、少くとも７５℃のＴｍを有するフィターゼを飼料成分のアグロメレーションの前又は間に添加し、ここで前記Ｔｍは、１０mM酢酸ナトリウム、pH５．０に対して透析されており、かつＳＤＳ−ＰＡＧＥにより測定して約９５％の純度である前記フィターゼの調製物に基づき、１０℃／分の一定の加熱速度を用いて示差走査熱量測定（ＤＳＣ）により測定されることを特徴とする方法。
【請求項２】  前記飼料成分が少くとも６５℃の温度に加熱されることを特徴とする請求項１に記載の方法。
【請求項３】  フィードエキスパンダーで行うことを特徴とする請求項１〜２のいずれかに記載の方法。
【請求項４】  エクストルーダーで行うことを特徴とする請求項１〜２のいずれかに記載の方法。
【請求項５】  ペレットプレスで行うことを特徴とする請求項１〜２のいずれかに記載の方法。
【請求項６】  前記フィターゼがトランスジェニック植物中に存在することを特徴とする請求項１〜５のいずれかに記載の方法。
【請求項７】  請求項１〜６のいずれかに記載の方法であって、前記アグロメレーションが、
（ａ）飼料成分を少くとも４５℃の温度に予備加熱するステップと、
（ｂ）ステップ（ａ）の産物を少くとも６５の温度に加熱するステップと、
を含み、前記フィターゼをステップ（ａ）及び／又は（ｂ）の前に又はその間に添加することを特徴とする方法。
【請求項８】  請求項１〜７のいずれかに記載の方法により得ることができる動物飼料。
【請求項９】  少くとも７５℃のＴｍを有するフィターゼをコードするＤＮＡ構成物を含むトランスジェニック植物であって、前記Ｔｍは、１０mM酢酸ナトリウム、pH５．０に対して透析されており、かつＳＤＳ−ＰＡＧＥにより測定して約９５％の純度である前記フィターゼの調製物に基づき、１０℃／分の一定の加熱速度を用いて示差走査熱量測定（ＤＳＣ）により測定されることを特徴とするトランスジェニック植物。
【請求項１０】  前記フィターゼをコードするＤＮＡ構成物が、前記植物の少くとも一部分内のフィターゼコーディング配列の発現を媒介することができる調節配列に作用可能に連結されていることを特徴とする請求項９に記載のトランスジェニック植物。
【請求項１１】  少くとも７５℃のＴｍを有するフィターゼをコードするＤＮＡ構成物を含む発現構成物であって、前記Ｔｍは、１０mM酢酸ナトリウム、pH５．０に対して透析されており、かつＳＤＳ−ＰＡＧＥにより測定して約９５％の純度である前記フィターゼの調製物に基づき、１０℃／分の一定の加熱速度を用いて示差走査熱量測定（ＤＳＣ）により測定され、前記ＤＮＡ構成物は植物の少くとも一部分内のフィターゼコーディング配列の発現を媒介することができる調節配列に作用可能に連結されていることを特徴とする発現構成物。
【請求項１２】  請求項１１に記載の発現構成物を含むベクター。
【請求項１３】  少くとも７５℃のＴｍを有するフィターゼを発現することができるトランスジェニック植物を調製する方法であって、前記Ｔｍは、１０mM酢酸ナトリウム、pH５．０に対して透析されており、かつＳＤＳ−ＰＡＧＥにより測定して約９５％の純度である前記フィターゼの調製物に基づき、１０℃／分の一定の加熱速度を用いて示差走査熱量測定（ＤＳＣ）により測定され、前記方法が、
（ｉ）前記フィターゼをコードするヌクレオチド配列を単離するステップと、
（ii）前記（ｉ）のヌクレオチド配列を、選択された宿主植物内の前記ヌクレオチド配列の発現を媒介することができる発現構成物内に挿入するステップと、
（iii）前記選択された宿主植物を前記発現構成物で形質転換するステップと、
を含むことを特徴とする方法。
【請求項１４】  前記植物から前記フィターゼを抽出するステップを更に含む請求項１３に記載の方法。
【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】  合成サプレッサーｔＲＮＡをコードするオリゴヌクレオチド配列であって、
（Ａ）２０以下の３’フランキング残渣を含み、５’フランキング残渣を全く含まない、ｍＲＮＡとの対合のためのアンチコドン領域をコードするヒトｔＲＮＡ構造遺伝子配列と、
（Ｂ）１５０ヌクレオチド未満の全長と、
（Ｃ）本来認識されるものとは異なるコドンを認識するよう修飾されたアンチコドン配列と
を含むことを特徴とするオリゴヌクレオチド。
【請求項２】  細胞においてナンセンス変異を含むヌクレオチド配列への翻訳を回復する方法であって、
（Ａ）２０以下の３’フランキング残渣を含み、５’フランキング残渣を全く含まない、ｍＲＮＡとの対合のためのアンチコドン領域をコードするヒトｔＲＮＡ構造遺伝子配列と、
（Ｂ）１５０ヌクレオチド未満の全長と、
（Ｃ）本来認識されるものとは異なるコドンを認識するよう修飾されたアンチコドン配列と
を含む合成サプレッサーｔＲＮＡオリゴヌクレオチドをコードする核酸配列を該細胞に導入する工程を含み、該アンチコドンが、該ナンセンス突然変異と対合するそれであり、該ｔＲＮＡ構造遺伝子配列が、該ナンセンス変異によって欠失したアミノ酸をコードすることを特徴とする方法。
【請求項３】  細胞においてナンセンス変異を含むヌクレオチド配列への翻訳を回復する方法であって、合成サプレッサーｔＲＮＡオリゴヌクレオチドを該細胞に導入する工程を含み、該オリゴヌクレオチドが、請求項１の配列によってコードされる方法。
【請求項４】  請求項１のヌクレオチド配列を含む形質転換された宿主細胞。
【請求項５】  翻訳されたタンパク質に部位特異的突然変異を導入する方法であって、
（Ａ）２０以下の３’フランキング残渣を含み、５’フランキング残渣を全く含まない、ｍＲＮＡとの対合のためのアンチコドン領域をコードするヒトｔＲＮＡ構造遺伝子配列と、
（Ｂ）１５０ヌクレオチド未満の全長と、
（Ｃ）本来認識されるものとは異なるコドンを認識するよう修飾されたアンチコドン配列と
を含む合成サプレッサーｔＲＮＡオリゴヌクレオチドをコードする核酸配列を該細胞に導入する工程を含み、該アンチコドンが、該ナンセンス突然変異と対合するそれであり、該ｔＲＮＡ構造遺伝子配列が、該ナンセンス変異によって欠失したアミノ酸をコードすることを特徴とする方法。
【請求項６】  翻訳されたタンパク質に部位特異的突然変異を導入する方法であって、請求項１の配列がコードする合成サプレッサーｔＲＮＡを該細胞に導入する工程を含む方法。
【請求項７】  合成サプレッサーｔＲＮＡを設計する方法であって:
（Ａ）問題のｔＲＮＡ配列を特定する工程と、
（Ｂ）該ｔＲＮＡ配列のアンチコドンを特定する工程と、
（Ｃ）異なるアミノ酸が、正常ならば翻訳されるものよりは、該アンチコドンに関連して翻訳されるように、代替的なアンチコドン配列を設計する工程と、
（Ｄ）（ａ）２０以下の３’フランキング残渣を含み、５’フランキング残渣を全く含まない、ｍＲＮＡとの対合のためのアンチコドン領域をコードするヒトｔＲＮＡ構造遺伝子配列、
（ｂ）１５０ヌクレオチド未満の全長、及び
（ｃ）本来認識されるものとは異なるコドンを認識するよう修飾されたアンチコドン配列を含み、該アンチコドンが、該ナンセンス突然変異と対合するそれであり、該ｔＲＮＡ構造遺伝子配列が、該ナンセンス変異によって欠失したアミノ酸をコードする、オリゴヌクレオチドを合成する工程と
を含むことを特徴とする方法。
【請求項８】  動物における遺伝的疾患を治療する方法であって、
（Ａ）２０以下の３’フランキング残渣を含み、５’フランキング残渣を全く含まない、ｍＲＮＡとの対合のためのアンチコドン領域をコードするヒトｔＲＮＡ構造遺伝子配列と、
（Ｂ）１５０ヌクレオチド未満の全長と、
（Ｃ）本来認識されるものとは異なるコドンを認識するよう修飾されたアンチコドン配列と
を含むサプレッサーｔＲＮＡ配列を該動物に導入する工程を含むことを特徴とする方法。
【請求項９】  細胞の形質導入を追跡する方法であって、ナンセンス変異の導入によって不活性化されたレポーター遺伝子を含む、オリゴヌクレオチドベクターを該細胞に導入する工程と；請求項１に記載のサプレッサーｔＲＮＡ配列を該細胞に導入する工程と；リポーター遺伝子の再活性化についてアッセーする工程とを含むことを特徴とする方法。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】
受信信号強度の推定値を提供する方法において、
所要信号を含む信号を受信することと、
所要信号のエネルギを測定して、測定エネルギを提供することと、
測定エネルギにしたがって所要信号の信号強度を推定することとを含み、
推定された信号強度は受信信号強度を示し、
測定することは、
第１の予め定められた間隔に対して所要信号の第１の積分をして、平均エネルギを提供することと、
第２の予め定められた間隔に対して平均エネルギの第２の積分をして、測定エネルギを提供することとをさらに含む方法。
【請求項２】
第２の積分は非コヒーレントに実行される請求項１記載の方法。
【請求項３】
受信信号強度の推定値を提供する方法において、
所要信号を含む信号を受信することと、
所要信号のエネルギを測定して、測定エネルギを提供することと、
測定エネルギにしたがって所要信号の信号強度を推定することとを含み、
推定された信号強度は受信信号強度を示し、
推定することは、測定エネルギに基づいて実際の信号強度の最尤推定値を計算することを含み、
信号強度は最尤推定値に基づいている方法。
【請求項４】
計算することは変換表を用いて実行される請求項３記載の方法。
【請求項５】
通信システム中の受信信号の信号強度の推定値を提供する信号強度推定器において、
所要信号を含む受信信号を提供する受信機と、
受信機に接続され、受信信号を受けて、所要信号を提供する信号プロセッサと、
信号プロセッサに接続され、所要信号を受けて、測定エネルギを提供するエネルギ計算器と、
エネルギ計算器に接続され、測定エネルギを受けて、測定エネルギに基づいて所要信号の信号強度の推定値を提供する信号強度推定器とを具備し、
信号強度は受信信号の信号強度を示し、
エネルギ計算器は、
所要信号を受け、第１の予め定められた間隔に対して所要信号を積分して、平均エネルギを提供する第１の積分器と、
第１の積分器に接続され、平均エネルギを受け、第２の予め定められた間隔に対して平均エネルギを積分して、測定エネルギを提供する第２の積分器とを備えている信号強度推定器。
【請求項６】
第２の積分器は非コヒーレント積分器である請求項５記載の信号強度推定器。
【請求項７】
通信システム中の受信信号の信号強度の推定値を提供する信号強度推定器において、
所要信号を含む受信信号を提供する受信機と、
受信機に接続され、受信信号を受けて、所要信号を提供する信号プロセッサと、
信号プロセッサに接続され、所要信号を受けて、測定エネルギを提供するエネルギ計算器と、
エネルギ計算器に接続され、測定エネルギを受けて、測定エネルギに基づいて所要信号の信号強度の推定値を提供する信号強度推定器とを具備し、
信号強度は受信信号の信号強度を示し、
信号強度推定器は、測定エネルギに基づいて実際の信号強度の最尤推定値を計算する手段を備え、
信号強度は最尤推定値に基づいている信号強度推定器。
【請求項８】
計算する手段は変換表である請求項７記載の信号強度推定器。
【請求項９】
少なくとも１つの基地局から少なくとも１つの加入者局への送信を提供することができる通信システム中で、リンク信号強度を測定する方法において、
少なくとも１つの基地局から１つの加入者局へ所要信号を送信することと、
加入者局において所要信号を受信して、測定エネルギを提供することと、
測定エネルギに基づいて、受信された所要信号の信号強度を推定することとを含み、
推定することは、測定エネルギに基づいて実際の信号強度の最尤推定値を計算することを含み、
信号強度は最尤推定値に基づいている方法。
【請求項１０】
計算することは変換表を用いて実行される請求項９記載の方法。
【請求項１１】
少なくとも１つの基地局から少なくとも１つの加入者局へのソフトハンドオフ送信を提供することができる通信システム中で、ソフトハンドオフ送信を選択する方法において、
少なくとも１つの基地局から１つの加入者局へ所要信号を送信することと、
加入者局において所要信号を第１に受信して、測定エネルギを提供することと、
測定エネルギに基づいて、受信された所要信号の信号強度を推定することと、
受信信号の推定された信号強度を少なくとも１つの基地局に送信することと、
受信信号の推定された信号強度を第２に受信することとを含み、
ソフトハンドオフ送信は受信された推定信号強度に基づいて選択され、
推定することは、測定エネルギに基づいて実際の信号強度の最尤推定値を計算することを含み、
信号強度は最尤推定値に基づいている方法。
【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  半導体放射撮像装置であって、
画像要素の各々が、前記画像要素に入射する放射（ラディエーション）に応答して電荷を発生する画像要素デテクタ・セル、および前記画像要素デテクタ・セルからの前記電荷を蓄積し、且つ蓄積された電荷を表す信号を選択的に出力するための画像要素回路構成を含むものである画像要素の配列、および
放射センサ素子が、（ａ）それに入射する放射に応答して電荷を発生するため前記画像要素デテクタ・セルを含む画像面と一体となった放射デテクタ・セル、および（b）前記放射デテクタ・セルから電荷を連続的に供給するための放射センサ出力部、を含むものであって、前記放射デテクタ・セルが画像要素デテクタ・セルの前記配列のためのガード・リングを有し、前記画像要素デテクタ・セルよりも大きな面積を備えたものである放射センサ素子、
を含む装置。
【請求項２】  前記放射センサ出力部が、前記放射センサ素子に入射する放射に応答して発生した電荷を表す信号を連続的に供給するように適合させられている請求項１に記載の撮像装置。
【請求項３】  前記放射デテクタ・セルが画像要素デテクタ・セルに比べ入射する放射により敏感である請求項１または２に記載の撮像装置。
【請求項４】  前記ガ−ド・リングが実質的に連続的なものである請求項１乃至３のいずれかに記載の撮像装置。
【請求項５】  前記画像要素デテクタ・セル、前記画像要素回路構成、および前記放射デテクタ・セルを含む一纏めの基板を含むものである請求項１乃至４のいずれかに記載の撮像装置。
【請求項６】  第一および第二の基板を含み、前記第一の基板が前記画像要素デテクタ・セルおよび前記放射デテクタ・セルを含み、且つ前記第二の基板が前記画像要素回路構成を含むものである請求項１乃至４のいずれかに記載の撮像装置。
【請求項７】  前記放射センサ出力部と結合したしきい値回路構成を含むものである請求項１乃至６のいずれかに記載の撮像装置。
【請求項８】  請求項１乃至６のいずれかに記載の撮像装置を含む自己トリガ可能な撮像システムであって、前記撮像システムは更に、撮像装置を制御するための制御回路構成、画像要素の前記配列からの電荷値を処理して表示装置上に画像を形成するための画像プロセッサ、および前記放射センサ出力部と結合したしきい値回路構成を含むものであるシステム。
【請求項９】  請求項７に記載の撮像装置を含む撮像システムであって、
前記撮像システムが更に、撮像装置を制御するための制御回路構成、および画像要素の前記配列からの電荷値を処理して表示装置上に画像を形成するための画像プロセッサを含むものであるシステム。
【請求項１０】  前記しきい値回路構成が、前記放射センサ出力部上のあるしきい値を越える電荷または信号に対して、前記制御回路構成にトリガ信号を出力するよう動作可能である請求項８または９に記載の撮像システム。
【請求項１１】  前記制御回路構成が、前記しきい値回路構成からの前記トリガ信号に応答して画像獲得を開始するように構成可能である請求項１０に記載の撮像システム。
【請求項１２】  前記制御回路構成が、前記トリガ信号を周期的に監視するように構成可能である請求項１０または１１に記載の撮像システム。
【請求項１３】  請求項１乃至７のいずれかに記載の撮像装置を備え、且つ、
前記放射センサ出力部を監視すること、
前記放射センサ出力部からの信号をあるしきい値と比較すること、及び
前記しきい値を越える前記放射センサ出力部上の前記電荷または信号についての配列（アレイ）の読み取りを開始するための制御信号を出力すること、
の諸工程を含む放射を画像化する方法。
【請求項１４】  前記監視する工程が、前記放射センサ出力部を周期的に監視することを含む請求項１３に記載の方法。
【請求項１５】  放射画像を形成するために入射する放射を集めるための放射デテクタの配列（アレイ）を含む画像面と一体となった放射センサを備えること、
但し放射デテクタの前記配列は前記集めた放射を表す信号を送信するための出力を有し、前記放射センサは放射デテクタの前記配列の一つにくらべ入射する放射により敏感なもので、且つ前記放射センサに入射する放射を表す信号を発生するものであること、
前記信号をあるしきい値と比較すること、
および前記しきい値を越える前記放射センサ信号に応答して前記配列の出力から読み取りを開始するための制御信号を出力すること、
を具備する、放射を画像化するためにトリガ信号を供給する方法。
【請求項１６】  更に、前記制御信号に応答して前記配列の出力から読み取りを制御するための制御回路構成を備えることを含む請求項１３乃至１５のいずれかに記載の方法。
【請求項１７】  更に、前記制御信号を周期的に監視することを含む請求項１５に、または請求項１５に従属する請求項１６に記載の方法。
【請求項１８】  更に、放射デテクタの前記配列および前記放射センサの一つに入射する放射に応答して電荷を蓄積することを含む請求項１５に、または請求項１５に従属する請求項１６または１７に記載の方法。
【請求項１９】  更に、表示装置上に画像を形成するため、前記しきい値を越える前記放射センサ信号に対して前記配列から読み取られた電荷値を処理することを含む請求項１８に記載の方法。
【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】  少なくとも１個の電子光学構成部分を使用して試料内の検体濃度を光学的に測定する計器を組み立てる方法において、
少なくとも１個の接触パッドを形成して有する支持面を設け、
前記接触パッドに対応する切除部を有するテンプレートを前記支持面に対向して取り付け、前記対応する切除部を通じて、前記接触パッドに少なくとも部分的に接近可能にし、
前記電子光学構成部分を前記接触パッドに連結することを特徴とする光学測定計器の組立方法。
【請求項２】  少なくとも１個の接触パッドを形成して有する支持面と、
前記接触パッドに対応する切除部を有し、前記支持面に対向するテンプレートと、
前記支持面の接触パッドに連結され、対応する切除部内に配置された少なくとも１個の電子光学構成部分とを具えることを特徴とする試料検体濃度を光学的に測定する計器組立体。
【請求項３】  前記電子光学素子と前記試料との間に光を伝達する少なくとも１個の光指向素子を有し、前記電子光学構成部分に対向する光学ブロックを更に具える請求項２に記載の計器組立体。
【請求項４】  前記光学ブロックを前記支持面に取り付けた請求項３に記載の計器組立体。
【請求項５】  前記テンプレートに貫通するピンを使用して前記光学ブロックが前記支持面に取り付けられており、前記ピンが前記支持面に熱かしめされている請求項４に記載の計器組立体。
【請求項６】  前記光指向素子と、第１ストリップ掛合部とに光学的にアライメントされた光透過部を有するストリップホルダを更に具える請求項３に記載の計器組立体。
【請求項７】  試料を包含するようにした試験ストリップを更に具え、この試験ストリップを掛合位置において前記ストリップホルダに取り外し得るよう取り付け可能にすると共に、前記掛合部に掛合するようアライメント部を前記試験ストリップに設けた請求項６に記載の計器組立体。
【請求項８】  前記アライメント部を第１ピンと、第２ピンとによって構成し、前記第１ピンに整合する孔と、前記第２ピンに整合するキー溝とによって前記掛合部を構成した請求項７に記載の計器組立体。
【請求項９】  前記試験ストリップを前記掛合位置に弾性的に押圧するタブを形成して有するハウジングを更に具える請求項７に記載の計器組立体。
【手続補正書】
【提出日】平成17年12月15日(2005.12.15)
【手続補正１】
【補正対象書類名】明細書
【補正対象項目名】請求項１７
【補正方法】変更
【補正の内容】
【請求項１７】  請求項１６に記載の方法において、表示画面上に入力パネルウィンドウを提供するステップと、前記入力パネルウィンドウ内に入力パネルを描くステップとをさらに具えたことを特徴とする方法。
【手続補正２】
【補正対象書類名】明細書
【補正対象項目名】００３１
【補正方法】変更
【補正の内容】
【００３１】
ＳＩＰマネージャ５８スレッドは、システムから特別な状況を与えられる。例えば、ＳＩＰマネージャ５８スレッドによって生み出されたウィンドウは一番上のウィンドウであり、ＳＩＰウィンドウ５０が表示されている間にタスクバー５６が自動的に隠すモードでアクティブになっているときなどを除いて、普通は他のウィンドウで隠されない。この場合、ＳＩＰウィンドウ５０はその現在位置に表示され続け、タスクバー５６はＳＩＰウィンドウ５０の一番上に表示される。より一般的には、ＳＩＰ制御用のどんなユーザインタフェース要素も、その制御するユーザインタフェース要素とＳＩＰウィンドウがオーバラップするときには、ＳＩＰウィンドウ５０の上（下ではなく）に配置することができる（かつ、そうなるべきである）。
【手続補正３】
【補正対象書類名】明細書
【補正対象項目名】００６９
【補正方法】変更
【補正の内容】
【００６９】
ＳｅｔＩｍＤａｔａ（）メソッドは、アプリケーション２９がＳＩＰＩＮＦＯ構造体を設定し、ＳＩＰＩＮＦＯ構造体のｐｖＩｍＤａｔａのメンバにＮＵＬＬ以外のポインタを提供したときに呼び出される。アプリケーション２９は通常、何らかのデータをその中に設定するように入力方式６４に要求するときにこの呼出しが行われるようにする。この呼出しと共に渡されるパラメータは、ｄｗｓｉｚｅすなわちｐｖＩｍＤａｔａによって指されるバッファのサイズ、およびｐｖＩｍＤａｔａすなわちアプリケーション２９中のデータのブロックへのボイドポインタを含む。
【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】
第１の光二値ワードと第２の光二値ワードとの和を決めるための加算器であって、
各光二値ワードは複数のビットスロットを有し、各ビットスロットは第１及び第２の論理状態の１つを示し、
この加算器は、
少なくとも一つの第１のタイプの光論理エレメント（１７）と、
少なくとも一つの第２のタイプの光論理エレメント（３５）と、
を備え、
各光論理エレメントは、
二値ワードを受ける手段（１８，１９，３６，３７）と、
この受けた二値ワードの論理的な組合せである出力ワードを発生する手段（１７，２７，２６）と、
を備え、
第１のタイプの光論理エレメント（１７）は、受けた二値ワードのＡＮＤ組合せとの結果をもたらす機能を実行するよう構成され、
第２のタイプの光論理エレメント（３５）は、受けた二値ワードのＸＯＲ組合せとの結果をもたらす機能を実行するよう構成され、
前記光論理エレメントは、連結手段により互いに連結され、
一のタイプの光論理エレメントからの出力ワードは同じタイプの光論理エレメントを通過され、更に他のタイプの光論理エレメントを通過され、
遅延手段（２２，３２）は、前記光論理エレメントの間に配設され、その結果、異なる光論理エレメント（１７，３５）からの出力ワードは一ビットスロットだけ相互に遅延され、
前記二値の和は、前記出力ワードによって与えられ、前記ＡＮＤ組合せによって与えられる出力ワードの各ビットスロットが同じ論理状態にあるとき前記ＸＯＲ組合せを示す、
ことを特徴とする加算器。
【請求項２】
前記第１のタイプの第１の光論理エレメント（１７）と前記第２のタイプの第２の光論理エレメント（３５）が提供され、
前記連結手段は、使用時に、前記第１及び第２のタイプの光論理エレメント（１７，３５）の出力ワードが、前記第１及び第２のタイプの光論理エレメント（１７，３５）の双方からそれぞれ受領されるように配置され、
前記遅延手段（２２−３２）は、使用時に、前記第１及び第２のタイプの光論理エレメント（１７，３５）の出力ワードが再帰的に結合されるように配置され、
前記光論理エレメントの一つの出力ワードは、一又はそれ以上の再帰の後、受領された第１及び第２の二値ワードの合計と等しくなる、
請求項１の加算器。
【請求項３】
各二値ワードは、Ｌビットスロットを有し、前記遅延手段（２２，３２）は、第１の遅延線（２２）と第２の遅延線（３２）を有し、前記第１及び第２の遅延線（２２，３２）はＬ＋１及びＬビットスロットのそれぞれにより第１及び第２のタイプの光論理エレメントからの出力ワードを遅延させるように配置される、請求項２の加算器。
【請求項４】
各光論理エレメントは第１入力（１８，３６）及び第２入力（１９，３７）を有し、前記加算器は、第１及び第２のタイプの光論理エレメントのそれぞれの第１入力に接続された加算入力を有し、前記第１及び第２のワードは加算入力（１４）へと連続して供給される、請求項２又は３の加算器。
【請求項５】
各光論理エレメント（１７，３５）は出力（２０，３８）を有し、前記第１のタイプの光論理エレメントの前記出力（２０）は第１の遅延線を介して前記第１及び第２の光論理エレメント（１７，３５）の前記第１の入力に接続され、前記第２のタイプの光論理エレメントの出力は前記第２の遅延線（３２）を介して前記第１及び第２のタイプの光論理エレメント（１７，３５）の前記第２の入力（１９，３７）に接続される、請求項４の加算器。
【請求項６】
各光論理エレメントは、スイッチング入力（２８）、ノンスイッチング入力（２９）、出力（３０）を有する非線形光学ゲート（２７）を有し、前記スイッチング入力は前記ゲートのノンスイッチング入力と出力との間の光学的な接続を制御し、前記光学的な接続は１つの光パルスが前記スイッチング入力（２８）で受領されたときには形成され、前記光学的な接続は２つのパルスがスイッチング入力（２８）にて受領されたときには形成されない、請求項１乃至５のいずれかの加算器。
【請求項７】
第２の光論理エレメント（３５）は、更に光パルスのソース及び光コンバイナ（２６）を含み、前記光コンバイナは前記第２の光論理エレメントの第１及び第２の入力（３６，３７）からの光強度を結合するように配置され、前記光コンバイナは前記非線形ゲートのスイッチング入力（２８）に接続される出力を有し、前記光パルスソースは非スイッチング入力に接続され、パルスは、前記第２の光論理エレメントの第１或いは第２の入力（３６，３７）のいずれかにて受領されたとき、ＸＯＲゲートのやり方で、非線形ゲートの出力にて生成される、請求項６の加算器。
【請求項８】
リセット手段（５２，５３）は光パルスのソースを遮断するために提供され、前記加算器は一旦前記第１及び第２の二値ワードが加算されるとリセットされる、請求項７の加算器。
【請求項９】
複数の第１のタイプの光論理エレメント（２１７）と第２のタイプの光論理エレメント（２３５）が提供され、各光論理エレメントからの出力ワードは同じタイプの異なる光論理エレメントから異なるタイプの別のエレメントへと通過する、請求項１の加算器。
【請求項１０】
前記第１のタイプの光論理エレメント（１７，２１７）はＡＮＤゲートであり、前記第２のタイプの光論理エレメント（３５，２３５）はＸＯＲゲートである、請求項１乃至９のいずれかの加算器。
【請求項１１】
１つ又はそれ以上の第１のタイプの光論理エレメント（１７）及び１つ又はそれ以上の第２のタイプの光論理エレメント（３５）の複数のビットスロットを有する二値ワードの対を加算する方法であって、第１及び第２の論理状態の一つを表現し、第１のタイプの光論理エレメントはそれに加えられるワードにＡＮＤ機能を実行するように配置され、第２のタイプの各光論理エレメントはそれに加えられるワードにＸＯＲ機能を実行するように配置され、
この方法は、以下のステップを有する、
(i)前記第１のタイプの光論理エレメント（１７）へと一対のワードを入力し、第１の出力ワードを生成するステップと、
(ii)前記第２のタイプの光論理エレメント（３５）へと一対のワードを入力し、第２の出力ワードを生成するステップと、
(iii)前記第１のタイプの光論理エレメント又は第２のタイプの光論理エレメントからの出力ワードを受信し、他の出力ワードに関連する一つのビットスロットにより出力ワードの一つを遅延させ、２つの出力ワードをオフセットするステップと、
(iv)出力ワードを使用し、前記第１のタイプの光論理エレメント（１７）へとオフセットするステップと、
(v)出力ワードを使用し、前記第２のタイプの光論理エレメント（３５）へとオフセットするステップと、
(vi)前記ステップ(iii)から(v)を、ＡＮＤコンビネーションを示す出力ワードの各ビットスロットが同じ論理状態を示す場合には前記第１及び第２の二値ワードの合計がＸＯＲコンビネーションを示す出力ワードによって与えられるまで繰り返す、方法。